(57)【要約】【課題】伸縮可能な用紙カセットを伸ばした状態にすると、装置本体のカセット着脱口から第２用紙収容部が飛び出すので、第１用紙収容部の側面とカセット着脱口の内壁との間の隙間が大きくなり、これにより用紙カセットが給紙方向に対して斜めになってしまい、送り出される用紙が斜行してしまう虞がある。【解決手段】媒体収容カセットは、媒体収容領域の一部を形成する第１媒体収容部と、媒体収容領域の一部を形成するとともに、第１状態と、当該第１状態より取り外し方向に変位して媒体収容領域を拡大する第２状態と、を切り換え可能な第２媒体収容部とを備えている。媒体収容カセットが着脱口に装着された状態において第２媒体収容部が第２状態をとる際、前記第１媒体収容部と前記第２媒体収容部との間に形成された、側面の段差部が着脱口の内側に位置する。【選択図】図４
2020100474.tif 000002
【特許請求の範囲】
【請求項１】
媒体に対して記録を行う記録部を備える装置本体と、
前記装置本体に形成された着脱口に対し着脱可能であるとともに、媒体を収容する媒体収容領域が着脱方向に沿って拡大及び縮小可能に構成された媒体収容カセットと、を備え、
前記媒体収容カセットは、前記媒体収容領域の一部を形成する第１媒体収容部と、
前記第１媒体収容部に対し前記媒体収容カセットの前記装置本体からの取り外し方向に位置し、前記媒体収容領域の一部を形成するとともに、第１状態と、当該第１状態より前記取り外し方向に変位して前記媒体収容領域を拡大する第２状態と、を切り換え可能な第２媒体収容部と、を備え、
前記着脱方向と交差する方向である幅方向における、前記第２媒体収容部の最大幅が、前記第１媒体収容部の最大幅より大きく形成されたことにより、前記媒体収容カセットの側面に段差部が形成され、
前記媒体収容カセットが前記着脱口に装着された状態において前記第２媒体収容部が前記第２状態をとる際、前記段差部が前記着脱口の内側に位置する、
ことを特徴とする記録装置。
【請求項２】
請求項１に記載の記録装置において、前記第２媒体収容部において前記段差部よりも前記取り外し方向の側面が、平滑面で形成されている、
ことを特徴とする記録装置。
【請求項３】
請求項２に記載の記録装置において、前記装置本体は、前記着脱口の内側に、前記媒体収容カセットが引き出された際に前記第１媒体収容部の浮き上がりを規制することで前記媒体収容カセットの姿勢を維持する姿勢維持部を備える、
ことを特徴とする記録装置。
【請求項４】
請求項３に記載の記録装置において、前記姿勢維持部は、前記第１媒体収容部に上から当接する当接部で構成され、
前記第２媒体収容部は、上面に前記当接部を受け入れるスリットを有する、
ことを特徴とする記録装置。
【請求項５】
請求項４に記載の記録装置において、前記第２媒体収容部において前記段差部よりも前記取り外し方向の上縁が、非段差状に形成されている、
ことを特徴とする記録装置。
【請求項６】
請求項５に記載の記録装置において、前記媒体収容カセットを複数備え、
複数の前記媒体収容カセットは、上側に位置する第１媒体収容カセットと、前記第１媒体収容カセットに対し下側に位置する第２媒体収容カセットと、を含み、
前記装置本体において前記第１媒体収容カセットを収容する領域と前記第２媒体収容カセットを収容する領域とが隔たり無く形成され、
前記第２媒体収容カセットの前面の上縁が、前記第１媒体収容カセットの前面の下縁に近接する様に、前記第２媒体収容カセットの前面の高さが前記第１媒体収容カセットの前面の高さより高く形成されている、
ことを特徴とする記録装置。
【請求項７】
請求項６に記載の記録装置において、前記第１媒体収容カセットが備える前記第２媒体収容部は、前記媒体収容領域の上方を覆う覆い部を備え、
前記第１媒体収容カセットが備える前記第２媒体収容部を前記第２状態にした際に、前記媒体収容領域において装置前面から外側に突出する領域の上方が前記覆い部によって覆われる、
ことを特徴とする記録装置。
【発明の詳細な説明】
【技術分野】
【０００１】
本発明は、媒体を収容する媒体収容カセットを備えた記録装置に関する。
【背景技術】
【０００２】
プリンターや複写機に代表される記録装置において、装置本体に対して着脱可能な用紙カセットは従来から広く用いられている。また用紙カセットには、特許文献１に示される様に伸縮可能に構成され、伸ばすことで大きいサイズのシートを収容できる様に構成されたものもある。
【先行技術文献】
【特許文献】
【０００３】
【特許文献１】特開２０１７−１３９７３号公報
【発明の概要】
【発明が解決しようとする課題】
【０００４】
上記の用紙カセットは、装着時に奥方に位置する第１用紙収容部と、前方に位置するとともに第１用紙収容部に対しスライド可能な第２用紙収容部とで構成されることが一般的であるが、第１用紙収容部が位置する装置奥方には給紙機構が設けられる為、横幅寸法の抑制が望まれる。これに対し手前側に位置する第２用紙収容部は、用紙カセットの着脱操作時にユーザーが把持する部分となるため、操作性を考慮して第１用紙収容部よりも幅広に形成することが好ましい。
【０００５】
しかしながら大きいサイズのシートを収容すべく、用紙カセットを伸ばした状態にすると、装置本体のカセット着脱口から第２用紙収容部が飛び出すので、第１用紙収容部の側面とカセット着脱口の内壁との間の隙間が大きくなり、これにより用紙カセットが給紙方向に対して斜めになってしまい、送り出される用紙が斜行してしまう虞がある。  
加えて、前記隙間から装置内部へ塵埃等が容易に侵入してしまう虞もある。
【課題を解決するための手段】
【０００６】
上記課題を解決するための、本発明の記録装置は、媒体に対して記録を行う記録部を備える装置本体と、前記装置本体に形成された着脱口に対し着脱可能であるとともに、媒体を収容する媒体収容領域が着脱方向に沿って拡大及び縮小可能に構成された媒体収容カセットと、を備え、前記媒体収容カセットは、前記媒体収容領域の一部を形成する第１媒体収容部と、前記第１媒体収容部に対し前記媒体収容カセットの前記装置本体からの取り外し方向に位置し、前記媒体収容領域の一部を形成するとともに、第１状態と、当該第１状態より前記取り外し方向に変位して前記媒体収容領域を拡大する第２状態と、を切り換え可能な第２媒体収容部と、を備え、前記着脱方向と交差する方向である幅方向における、前記第２媒体収容部の最大幅が、前記第１媒体収容部の最大幅より大きく形成されたことにより、前記媒体収容カセットの側面に段差部が形成され、前記媒体収容カセットが前記着脱口に装着された状態において前記第２媒体収容部が前記第２状態をとる際、前記段差部が前記着脱口の内側に位置することを特徴とする。
【図面の簡単な説明】
【０００７】
【図１】各用紙カセットが第１状態にある際のプリンターの斜視図。
【図２】各用紙カセットが第１状態にある際のプリンターの正面図。
【図３】各用紙カセットが第１状態にある際のプリンターの側面図。
【図４】各用紙カセットが第２状態にある際のプリンターの斜視図。
【図５】各用紙カセットが第２状態にある際のプリンターの側面図。
【図６】各用紙カセットが引き抜き途中にある際のプリンターの斜視図。
【図７】各カセット着脱口の左側壁側の斜視図。
【図８】各カセット着脱口の右側壁側の斜視図。
【図９】第１状態にある第１用紙カセットの斜視図。
【図１０】第２状態にある第１用紙カセットの斜視図。
【図１１】各カセットが第１状態にある際のスリット位置での側断面図。
【図１２】各カセットが第２状態にある際のスリット位置での側断面図。
【図１３】各用紙カセットが第１状態にある際の、第２実施形態に係るプリンターの斜視図。
【図１４】各用紙カセットが第１状態にある際の、第２実施形態に係るプリンターの正面図。
【図１５】各用紙カセットが第２状態にある際の、第２実施形態に係るプリンターの斜視図。
【発明を実施するための形態】
【０００８】
以下、本発明を概略的に説明する。  
第１の態様に係る記録装置は、媒体に対して記録を行う記録部を備える装置本体と、前記装置本体に形成された着脱口に対し着脱可能であるとともに、媒体を収容する媒体収容領域が着脱方向に沿って拡大及び縮小可能に構成された媒体収容カセットと、を備え、前記媒体収容カセットは、前記媒体収容領域の一部を形成する第１媒体収容部と、前記第１媒体収容部に対し前記媒体収容カセットの前記装置本体からの取り外し方向に位置し、前記媒体収容領域の一部を形成するとともに、第１状態と、当該第１状態より前記取り外し方向に変位して前記媒体収容領域を拡大する第２状態と、を切り換え可能な第２媒体収容部と、を備え、前記着脱方向と交差する方向である幅方向における、前記第２媒体収容部の最大幅が、前記第１媒体収容部の最大幅より大きく形成されたことにより、前記媒体収容カセットの側面に段差部が形成され、前記媒体収容カセットが前記着脱口に装着された状態において前記第２媒体収容部が前記第２状態をとる際、前記段差部が前記着脱口の内側に位置することを特徴とする。
【０００９】
本態様によれば、媒体収容カセットは第１媒体収容部及び第２媒体収容部を備えて成るとともに側面に段差部が形成され、当該媒体収容カセットが前記着脱口に装着された状態において前記第２媒体収容部が前記第２状態をとる際、前記段差部が前記着脱口の内側に位置するので、前記媒体収容カセットの伸縮状態に拘わらず、前記着脱部の内壁（側壁）と前記媒体収容カセットの側面との間の隙間を適切な範囲に維持することができる。これにより、前記媒体収容カセットが媒体給送方向に対して斜めになってしまい、送り出される媒体が斜行してしまう問題の発生を抑制できる。加えて、前記隙間から装置内部への塵埃等の侵入も抑制できる。
【００１０】
第２の態様は、第１の態様において、前記第２媒体収容部において前記段差部よりも前記取り外し方向の側面が、平滑面で形成されているので、前記第２媒体収容部が前記第２状態をとる際に当該第２媒体収容部が前記着脱口の外側に突出しても、その突出した部位の側面が平滑面で形成されることとなり、装置の美観を向上させることができるとともに、前記第２媒体収容部を把持する際の把持性が向上する。
【００１１】
第３の態様は、第２の態様において、前記装置本体は、前記着脱口の内側に、前記媒体収容カセットが引き出された際に前記第１媒体収容部の浮き上がりを規制することで前記媒体収容カセットの姿勢を維持する姿勢維持部を備えることを特徴とする。
【００１２】
本態様によれば、前記着脱口の内側に、前記媒体収容カセットが引き出された際に前記第１媒体収容部の浮き上がりを規制することで前記媒体収容カセットの姿勢を維持する姿勢維持部を備えるので、前記媒体収容カセットが引き出されても前記媒体収容カセットの姿勢が維持され、前記媒体収容カセットへの媒体の補充作業等を容易に行うことができる。
【００１３】
第４の態様は、第３の態様において、前記姿勢維持部は、前記第１媒体収容部に上から当接する当接部で構成され、前記第２媒体収容部は、上面に前記当接部を受け入れるスリットを有することを特徴とする。
【００１４】
本態様によれば、前記姿勢維持部は、前記第１媒体収容部に上から当接する当接部で構成され、前記第２媒体収容部は、上面に前記当接部を受け入れるスリットを有するので、前記当接部と前記第２媒体収容部との当接を回避でき、前記第２媒体収容部が変位する領域を確保できる。
【００１５】
第５の態様は、第２の態様において、前記第２媒体収容部において前記段差部よりも前記取り外し方向の上縁が、非段差状に形成されていることを特徴とする。  
本態様によれば、前記第２媒体収容部において前記段差部よりも前記取り外し方向の上縁が、非段差状に形成されているので、装置の美観を向上させることができるとともに、前記第２媒体収容部を把持する際の把持性が向上する。
【００１６】
第６の態様は、第５の態様において、前記媒体収容カセットを複数備え、複数の前記媒体収容カセットは、上側に位置する第１媒体収容カセットと、前記第１媒体収容カセットに対し下側に位置する第２媒体収容カセットと、を含み、前記装置本体において前記第１媒体収容カセットを収容する領域と前記第２媒体収容カセットを収容する領域とが隔たり無く形成され、前記第２媒体収容カセットの前面の上縁が、前記第１媒体収容カセットの前面の下縁に近接する様に、前記第２媒体収容カセットの前面の高さが前記第１媒体収容カセットの前面の高さより高く形成されていることを特徴とする。
【００１７】
本態様によれば、前記装置本体において前記第１媒体収容カセットを収容する領域と前記第２媒体収容カセットを収容する領域とが隔たり無く形成されているので、ジャム処理作業が容易になる。そして前記第２媒体収容カセットの前面の上縁が、前記第１媒体収容カセットの前面の下縁に近接する様に、前記第２媒体収容カセットの前面の高さが前記第１媒体収容カセットの前面の高さより高く形成されているので、前記第１媒体収容カセットと前記第２媒体収容カセットとの間の隙間を小さくでき、美観が向上するとともに、装置内部への塵埃等の侵入を抑制できる。
【００１８】
第７の態様は、第６の態様において、前記第１媒体収容カセットが備える前記第２媒体収容部は、前記媒体収容領域の上方を覆う覆い部を備え、前記第１媒体収容カセットが備える前記第２媒体収容部を前記第２状態にした際に、前記媒体収容領域において装置前面から外側に突出する領域の上方が前記覆い部によって覆われることを特徴とする。
【００１９】
本態様によれば、前記第１媒体収容カセットが備える前記第２媒体収容部は、前記媒体収容領域の上方を覆う覆い部を備え、前記第１媒体収容カセットが備える前記第２媒体収容部を前記第２状態にした際に、前記媒体収容領域において装置前面から外側に突出する領域の上方が前記覆い部によって覆われるので、前記第２媒体収容部の内部の露呈を避け、美観が向上するとともに、装置内部への塵埃等の侵入を抑制できる。
【００２０】
以下、本発明を具体的に説明する。  
尚、各図においてＸ軸に沿った方向は装置幅方向であり、用紙搬送方向と交差する方向、即ち用紙幅方向となる。＋Ｘ方向は装置前面をユーザーと対面させた際にユーザーから見て左方向となり、＋Ｘ方向は同右方向となる。  
またＹ軸に沿った方向は装置奥行き方向であり、＋Ｙ方向は装置背面から前面に向かう方向、−Ｙ方向は装置前面から背面に向かう方向となる。またＹ軸に沿った方向は後述する第１用紙カセット５０及び第２用紙カセット７０の着脱方向であり、＋Ｙ方向が各用紙カセットの取り外し方向、−Ｙ方向が各用紙カセットの装着方向となる。  
またＺ軸に沿った方向は鉛直方向であり、＋Ｚ方向は鉛直上方、−Ｚ方向は鉛直下方となる。  
本実施形態において装置の周囲を構成する側面のうち操作部５が設けられた側面が装置前面となる。
【００２１】
図１〜図３において記録装置の一例であるインクジェットプリンター（以下「プリンター」と略称する）１は、装置本体２の上部に、スキャナー部３を備えて成る。  
装置本体２は、全体的に外郭がボックス形状を成しており、装置本体２とスキャナー部３は、前面、右側面及び左側面においてほぼ面一となる様に外郭が構成されている。尚、装置本体２及びスキャナー部３の右側面及び左側面は、垂直な平滑面で形成されている。
【００２２】
装置本体２は、媒体の一例である記録用紙に記録を行う機能を有し、スキャナー部３は、原稿を読み取る機能を有する。尚、スキャナー部３は、セットされた原稿を自動送りする自動原稿送り機構（ＡＤＦ：Auto Document Feeder）を備えている。  
装置本体２は、記録用紙を搬送する搬送経路Ｒ１、Ｒ２（図３）や記録部の一例である記録ヘッド９（図３）を備えており、また、本実施形態では媒体収容カセットの一例として二つの媒体収容カセット、具体的には第１用紙カセット５０及び第２用紙カセット７０を着脱可能に備えている。尚、本明細書では第１用紙カセット５０及び第２用紙カセット７０を「各用紙カセット」と略称する場合がある。
【００２３】
また装置本体２は、第１用紙カセット５０及び第２用紙カセット７０への用紙セットに加え、装置背面からの用紙セット及び給送も可能に構成されている。符号７は装置背面から用紙をセットする際の用紙セット口（不図示）を開閉するカバーである。
【００２４】
装置本体２は、装置前面に、プリンター１の各種操作を行う操作部５を備えている。操作部５は、表示部と複数の操作ボタンを備えて成るとともに、チルト可能に設けられている。  
操作部５の下側には、記録が行われて排出される記録用紙を受けるトレイ６が設けられている。トレイ６は、図１に示すように装置本体２の内部に収容された状態と、装置本体２から引き出された状態（不図示）と、を取り得るように設けられている。
【００２５】
装置本体２の外郭は、筐体４で構成される。筐体４の前面４ａは、垂直に沿った平滑面である。スキャナー部３、トレイ６、第１用紙カセット５０及び第２用紙カセット７０、のこれらの前面も、垂直に沿った平滑面で形成される。操作部５は、閉じた状態で操作面が垂直に沿った面となる。  
そして詳しくは後述するが、第１用紙カセット５０及び第２用紙カセット７０は伸縮可能に構成されており、図１〜図３は各カセットが最も縮んだ状態を示している。各カセットが最も縮み、トレイ６が収納され、操作部５が閉じた状態では、スキャナー部３、トレイ６、第１用紙カセット５０、第２用紙カセット７０、のこれらの前面と、操作部５の操作面が、図１及び図３に示す様に装置前面においてほぼ面一となる。  
尚、第１用紙カセット５０の前面には手掛け凹部５０ｂが設けられ、第２用紙カセット７０の前面には手掛け凹部７０ｂが設けられている。
【００２６】
続いて、第１用紙カセット５０及び第２用紙カセット７０について更に説明する。  
尚、以下では図９及び図１０を参照しつつ、主として第１用紙カセット５０の構成について説明するが、第２用紙カセット７０の構成も基本的には第１用紙カセット５０と同様である。第１用紙カセット５０と第２用紙カセット７０が異なる点は、第２用紙カセット７０が覆い部５６を備えない点、及び第１用紙カセット５０が備える第２用紙収容部５２の高さが、第２用紙カセット７０が備える第２用紙収容部７２の高さよりも低い点であり、この点については後に説明する。
【００２７】
図９及び図１０に示す様に、第１用紙カセット５０は、記録用紙を収容する領域である用紙収容領域５０ｃが、第１用紙収容部５１と、第１用紙収容部５１に対し＋Ｙ方向に位置する第２用紙収容部５２とで構成され、第１用紙カセット５０が装置本体２に装着された状態、或いは第１用紙カセット５０が装置本体２から取り外された状態で、第２用紙収容部５２が第１用紙収容部５１に対し＋Ｙ方向にスライドすることで用紙収容領域５０ｃが拡大し、−Ｙ方向にスライドすることで用紙収容領域５０ｃが縮小する。  
以下、用紙収容領域５０ｃが最も縮小した場合の第２用紙収容部５２の状態を「第１状態」とし、用紙収容領域５０ｃが最も拡大した場合の第２用紙収容部５２の状態を「第２状態」とする。  
尚、図９及び図１０に示すＸ−Ｙ−Ｚ座標系は、第１用紙カセット５０が装置本体２に装着された状態での座標系である。
【００２８】
図１〜図３は第１用紙カセット５０の第２用紙収容部５２、及び第２用紙カセット７０の第２用紙収容部７２が第１状態の様子を示しており、図４及び図５は第１用紙カセット５０の第２用紙収容部５２、及び第２用紙カセット７０の第２用紙収容部７２が第２状態の様子を示している。
【００２９】
図９及び図１０に示す様に第１用紙収容部５１には、＋Ｘ方向及び−Ｘ方向にスライド変位可能なエッジガイド５３Ａ、５３Ｂが設けられている。また第１用紙収容部５１には、記録用紙の送り出し方向である−Ｙ方向に、収容された記録用紙の先端位置を規制するストッパー５４が設けられている。
【００３０】
図９において寸法Ｗ１は幅方向（Ｘ方向）における第１用紙収容部５１の最大幅であり、この最大幅Ｗ１は、第１用紙収容部５１の側面５１ａ、５１ａによって規定される。尚、図９では左側の側面９１ａは視覚的に隠れている。  
また、図９において寸法Ｗ２は第２用紙収容部５２の最大幅であり、この最大幅Ｗ２は、第２用紙収容部５２の側面５２ａ、５２ａによって規定される。尚、図９では左側の側面９２ａは視覚的に隠れている。  
そして本実施形態において第２用紙収容部５２の最大幅Ｗ２は、第１用紙収容部５１の最大幅Ｗ１より大きく、これにより第１用紙カセット５０は、両側の側面において第１用紙収容部５１と第２用紙収容部５２との境界部に段差部５７が形成された状態となる。
【００３１】
即ち、第１用紙カセット５０が装置本体２に装着された際、第１用紙収容部５１が位置する装置奥方には給紙機構が設けられる為、横幅寸法の抑制が望まれる。これに対し手前側に位置する第２用紙収容部５２は、第１用紙カセット５０の着脱操作時にユーザーが把持する部分となるため、操作性を考慮して第１用紙収容部５１よりも幅広に形成することが好ましい。従って、第２用紙収容部５２の最大幅Ｗ２は、第１用紙収容部５１の最大幅Ｗ１より大きく設定されている。  
尚、第２用紙収容部５２の高さは、第１用紙収容部５１の高さより高く、これにより第１用紙カセット５０の両サイド上縁においても段差が形成された状態となる。この両サイド上縁の段差のＹ方向における位置と、側面の段差即ち段差部５７のＹ方向位置は、同じである。これは、第２用紙カセット７０についても同様である。
【００３２】
続いて、各用紙カセットを着脱する着脱部（着脱口）の構成について図７、図８、図１１、図１２を参照しつつ説明する。  
図７及び図８において符号１１Ａは第１用紙カセット５０を着脱する第１着脱口、符号１１Ｂは第２用紙カセット７０を着脱する第２着脱口である。第１着脱口１１Ａと第２着脱口１１Ｂとの間には上下を仕切る壁はなく、即ち隔たりがなく、第１着脱口１１Ａと第２着脱口１１Ｂが一体となって大きな開口が形成された状態となっている。
【００３３】
図７に示す様に開口内部の左側壁１６Ａには、左上ガイド１２Ａ及び左下ガイド１３Ａが形成されており、また図８に示す様に開口内部の右側壁１６Ｂには、右上ガイド１２Ｂ及び右下ガイド１３Ｂが形成されている。各ガイドは、Ｙ方向に延設されている。左上ガイド１２Ａ及び右上ガイド１２Ｂは、第１用紙カセット５０を着脱方向に案内し、左下ガイド１３Ａ及び右下ガイド１３Ｂは、第２用紙カセット７０を着脱方向に案内する。
【００３４】
図７に示す様に左上ガイド１２Ａの上側には、左上突起１４Ａが形成され、図８に示す様に右上ガイド１２Ｂの上側には、右上突起１４Ｂが形成されている。また、図７に示す様に左下ガイド１３Ａの上側には、左下突起１５Ａが形成され、図８に示す様に右下ガイド１３Ｂの上側には、右下突起１５Ｂが形成されている。各突起は、鉛直下方に突出する様な形状を成している。
【００３５】
各突起は、各用紙カセットが引き出された際に各第１用紙収容部の浮き上がりを規制することで各用紙カセットの姿勢を維持する姿勢維持部として機能する。  
具体的には、第１用紙カセット５０が引き出された際に左上突起１４Ａ（図７）が、第１用紙収容部５１の左サイド上縁５１ｃ（図９）に上から当接し、且つ、右上突起１４Ｂ（図８）が、第１用紙収容部５１の右サイド上縁５１ｂ（図９）に上から当接し、これにより第１用紙カセット５０を引き出した際に当該第１用紙カセット５０の姿勢が維持される。つまり、各突起は、第１用紙カセット５０に上から当接する当接部となる。  
また、第２用紙カセット７０と、左下突起１５Ａ（図７）及び右下突起１５Ｂ（図８）との関係も同様である。
【００３６】
各用紙カセットが各突起により姿勢維持される様子が、図１２に示されている。尚、ここでの姿勢維持とは、各カセットが完全装着された際の姿勢即ち水平姿勢が、図１２に示す様に引き出されても厳密に維持されることを意味するものではなく、各カセットの下側への多少の傾きも含むものであり、即ち各カセットが落下しない程度に姿勢が維持されることを意味する。  
この様に、各用紙カセットは引き出されても手前側が下方に大きく垂れ下がることなく姿勢が維持されるので、各用紙カセットへの記録用紙の補充作業等を容易に行うことができる。
【００３７】
ここで、例えば第１用紙カセット５０が装着状態にある際に第２用紙収容部５２を第２状態から第１状態に切り換える際、或いは、装置本体２から取り外され且つ第２用紙収容部５２が第１状態にある第１用紙カセット５０を装置本体２に装着する際、左上突起１４Ａ（図７）は、第２用紙収容部５２の左サイド上縁５２ｃ（図９）と干渉する位置にある。同様に、右上突起１４Ｂ（図８）は、第２用紙収容部５２の右サイド上縁５２ｂ（図９）と干渉する位置にある。  
そこで本実施形態では、第２用紙収容部５２の上面、即ち左サイド上縁５２ｃと右サイド上縁５２ｂに、それぞれ着脱方向に沿って延びるスリット５５が形成されており、このスリット５５に各突起が受け入れられる様に構成されている（図１１）。これにより、各突起と第２用紙収容部５２との当接を回避でき、第２用紙収容部５２が変位する領域を確保できる。第２用紙カセット７０についても、同様にスリット（図１２において符号７５）が形成されている。
【００３８】
次に、第１用紙カセット５０は第１着脱口１１Ａに装着され且つ最も伸長した状態、即ち第２用紙収容部５２が第２状態にある際に、図１０に示した側面の段差部５７が、図４及び図５に示す様に外側に露呈せず、第１着脱口１１Ａの内側に位置することとなる。これは、第２用紙カセット７０についても同様である。  
これにより、各用紙カセットの伸縮状態に拘わらず、各用紙カセットの左側面と、左側壁１６Ａ（図７）との間の隙間、及び各用紙カセットの右側面と、右側壁１６Ｂ（図８）との間の隙間を適切な範囲に維持することができる。換言すれば、装着状態の各用紙カセットを最も伸ばしても、各用紙カセットが備える第２用紙収容部の側面が、着脱口内側の側壁と対向した状態が維持される。  
以上の構成により、各用紙カセットが用紙給送方向（Ｙ方向）に対して斜めになってしまい、送り出される記録用紙が斜行してしまう問題の発生を抑制できる。加えて、前記隙間から装置内部への塵埃等の侵入も抑制できる。
【００３９】
また本実施形態では図４及び図５に示す様に、隠れている段差部（図１０の段差部５７）より＋Ｙ方向の側面５２ａが、平滑面で構成されている。従って第２用紙収容部５２が第１着脱口１１Ａの外側に突出しても、その突出した部位の側面が平滑面で構成されることとなり、装置の美観を向上させることができるとともに、第２用紙収容部５２を把持する際の把持性が向上する。  
尚ここでの平滑面とは、表面に凹凸が無く滑らかな面であることを意味するが、例えばネジ穴や表示の為の凹凸など、機能上必要な多少の凹凸が含まれることは許容される意味である。
【００４０】
また同様に、第２用紙収容部５２において隠れている段差部（図１０の段差部５７）より＋Ｙ方向の上縁である手前上縁５２ｄ、右サイド上縁５２ｂ、及び左サイド上縁５２ｃ、のこれらが同じ高さに形成され、即ち非段差状に形成されている。従って装置の美観を向上させることができるとともに、第２用紙収容部５２を把持する際の把持性が向上する。  
尚、「非段差状」とは手前上縁５２ｄ、右サイド上縁５２ｂ、及び左サイド上縁５２ｃ、のこれらが同じ高さに形成されることを意味するものであり、「同じ高さ」とは完全に同じ高さのみならず多少の高さの相違も含む意味である。  
また、第１用紙カセット５０において、右側面５２ａと前面５０ａとは連なり、また図示は省略するが、左側面と前面５０ａとは連なって形成されている。従って、装置の美観を向上させることができる。これは、第２用紙カセット７０も同様である。
【００４１】
また本実施形態では媒体収容カセットとして第１用紙カセット５０及びその下側に位置する第２用紙カセット７０の、複数の用紙カセットを備え、図７及び図８に示した様に装置本体２において第１用紙カセット５０を収容する領域である第１着脱口１１Ａと、第２用紙カセット７０を収容する領域である第２着脱口１１Ｂとが隔たり無く形成されている。そして図２に示す様に第２用紙カセット７０の手前上縁７２ｄが、第１用紙カセット５０の手前下縁５２ｅに近接する様に、第２用紙カセット７０の前面７０ａの高さＨ２が第１用紙カセット５０の前面５０ａの高さＨ１より高く形成されている。
【００４２】
第１用紙カセット５０を収容する領域である第１着脱口１１Ａと、第２用紙カセット７０を収容する領域である第２着脱口１１Ｂとが隔たり無く形成されていることで、ジャム処理作業が容易になる。第１着脱口１１Ａと第２着脱口１１Ｂとを隔てる壁がないため、装置前面においては外観上の分割ラインが少なくなり、美観も向上する。  
そして第２用紙カセット７０の手前上縁７２ｄが、第１用紙カセット５０の手前下縁５２ｅに近接する様に、第２用紙カセット７０の前面７０ａの高さＨ２が第１用紙カセット５０の前面５０ａの高さＨ１より高く形成されているので、第１用紙カセット５０と第２用紙カセット７０との間の鉛直方向の隙間を小さくでき、美観が向上するとともに、装置内部への塵埃等の侵入を抑制できる。
【００４３】
尚、上記の様に構成されたことにより、図１２に示す様に第２用紙カセット７０が備える第２用紙収容部７２の高さは、第１用紙カセット５０が備える第２用紙収容部５２の高さより高く、しかしながら第２用紙カセット７０が備える第１用紙収容部７１の高さは、第１用紙カセット５０が備える第１用紙収容部５１の高さと同じである。このため、左下突起１５Ａ及び右下突起１５Ｂは、左上突起１４Ａ及び右上突起１４Ｂより鉛直下方への突出量が多く形成されている。またこれにより、第２用紙カセット７０に形成されたスリット７５は、第１用紙カセット５０に形成されたスリット５５よりも深く形成されている。  
図１２において符号７１ｂは、第２用紙カセット７０を構成する第１用紙収容部７１の、右サイド上縁である。
【００４４】
また本実施形態では、第１用紙カセット５０が備える第２用紙収容部５２は図９、図１０、図４に示す様に用紙収容領域５０ｃの上方を覆う覆い部５６を備え、第１用紙カセット５０が備える第２用紙収容部５２を第２状態にした際に、用紙収容領域５０ｃにおいて装置前面４ａから手前に突出する領域の上方が覆い部５６によって覆われる構成である。従って第１用紙カセット５０の用紙収容領域５０ｃの露呈を避け、美観が向上するとともに、装置内部への塵埃等の侵入を抑制できる。
【００４５】
続いて、図１３〜図１５を参照しつつ、他の実施形態に係るプリンター１００について説明する。プリンター１００において、既に説明したプリンター１と同様の構成については同一符号を付しており、以下ではその説明は省略する。  
本実施形態に係るプリンター１００が既に説明したプリンター１と異なる点は、装置前面にインク収容部２０を備えている点である。インク収容部２０は、装置前面から僅かに前方に突出している。
【００４６】
インク収容部２０には、複数の色のインクが収容可能であり、例えばブラック、シアン、マゼンタ、イエローのインクが収容可能に構成されている。インク収容部２０の前面にはインク残量を視認する為の残量確認窓２１ａ、２１ｂ、２１ｃ、２１ｄが形成されている。  
インク収容部２０の上部には開閉可能なカバー２２が設けられており、カバー２２を開くことで、インクの補充作業が行える様に構成されている。  
この様に構成されたプリンター１００においても、図１５に示す様に、各用紙カセットが装着され且つ最も伸長した状態にある際に、各カセット側面の段差部が外側に露呈せず、着脱口の内側に位置することとなり、各用紙カセットが用紙給送方向（Ｙ方向）に対して斜めになってしまい、送り出される記録用紙が斜行してしまう問題の発生を抑制できる。加えて、前記隙間から装置内部への塵埃等の侵入も抑制できる。
【００４７】
以上説明した実施形態では、複数の媒体収容カセットとして第１用紙カセット５０及び第２用紙カセット７０を設けたが、これに限られず、用紙カセットを一つのみ設けても良いし、或いは３つ以上の用紙カセットを設けても良い。用紙カセットの数に拘わらず、全ての用紙カセットは伸縮可能であり、そして装着状態で且つ最も伸長した状態では、側面に段差が表れない構成とすることが好適である。
【符号の説明】
【００４８】
１…インクジェットプリンター、２…装置本体、３…スキャナー部、４…筐体、４ａ…前面、５…操作部、６…トレイ、７…カバー、８…キャリッジ、９…記録ヘッド、
１１Ａ…第１着脱口、１１Ｂ…第２着脱口、１２Ａ…左上ガイド、１２Ｂ…右上ガイド、１３Ａ…左下ガイド、１３Ｂ…右下ガイド、１４Ａ…左上突起、１４Ｂ…右上突起、１５Ａ…左下突起、１５Ｂ…右下突起、１６Ａ…左側壁、１６Ｂ…右側壁、２０…インク収容部、２０ａ…前面、２１ａ〜２１ｄ…残量確認窓、２２…カバー、
５０…第１用紙カセット、５０ａ…前面、５０ｂ…手掛け凹部、５０ｃ…用紙収容領域、５１…第１用紙収容部、５１ａ…側面、５１ｂ…右サイド上縁、５１ｃ…左サイド上縁、５２…第２用紙収容部、５２ａ…側面、５２ｂ…右サイド上縁、５２ｃ…左サイド上縁、
５２ｄ…手前上縁、５２ｅ…手前下縁、５３Ａ、５３Ｂ…エッジガイド、５４…ストッパー、５５…スリット、５６…覆い部、５７…段差部、
７０…第２用紙カセット、７０ａ…カセット前面、７１…第１用紙収容部、７１ａ…側面、７１ｂ…右サイド上縁、７２…第２用紙収容部、７２ａ…側面、７２ｂ…右サイド上縁、７２ｄ…手前上縁、７５…スリット、７７…段差部
【図１】
2020100474.tif 000003
【図２】
2020100474.tif 000004
【図３】
2020100474.tif 000005
【図４】
2020100474.tif 000006
【図５】
2020100474.tif 000007
【図６】
2020100474.tif 000008
【図７】
2020100474.tif 000009
【図８】
2020100474.tif 000010
【図９】
2020100474.tif 000011
【図１０】
2020100474.tif 000012
【図１１】
2020100474.tif 000013
【図１２】
2020100474.tif 000014
【図１３】
2020100474.tif 000015
【図１４】
2020100474.tif 000016
【図１５】
2020100474.tif 000017